【手続補正書】
【提出日】平成16年7月16日(2004.7.16)
【手続補正１】
【補正対象書類名】明細書
【補正対象項目名】特許請求の範囲
【補正方法】変更
【補正の内容】
【特許請求の範囲】
【請求項１】
浴槽内の湯を吸湯管より汲みあげ、装置本体内にて連結する濾過タンク、紫外線殺菌装置を循環して濾過、殺菌して清浄化処理し、ヒータにより保温処理し、前記浴槽内に噴出すると共に、前記紫外線殺菌装置は前記浴水が側面に設けられた湯流入口と湯流出口とを設けたジヤケツト内を湯が流通することでジャケット内の紫外線ランプで循環する浴水を殺菌するようにした浴槽湯の清浄化装置において、前記紫外線殺菌装置を、前記紫外線ランプを収納する開口部が設けられた保護管と該保護管の上部で一体化され回路ケースを収納する開口部が設けられたＵＶ蓋とでなる保護管ユニットと、該保護管ユニットの前記保護管の開口部に収納される紫外線発光源である紫外線ランプと前記ＵＶ蓋に収納される回路ケースには前記紫外線ランプに高電圧を印加するインバータボードが装着されると共に、前記回路ケースの開口部を密閉する鍔とが設けられたランプユニットと、を一体化したＵＶユニットで構成して、該ＵＶユニットを前記ジャケットに着脱可能に構成すると共に、前記保護管内と雰囲気が通じている前記回路ケースに結露センサを配備したことを特徴とする浴槽湯の清浄化装置。
【請求項２】
浴槽内の湯を吸湯管より汲みあげ、装置本体内にて連結する濾過タンク、紫外線殺菌装置を循環して濾過、殺菌して清浄化処理し、ヒータにより保温処理し、前記浴槽内に噴出すると共に、前記紫外線殺菌装置は前記浴水が側面に設けられた湯流入口と湯流出口とを設けたジヤケツト内を湯が流通することでジャケット内の紫外線ランプで循環する浴水を殺菌するようにした浴槽湯の清浄化装置において、前記紫外線殺菌装置を、前記紫外線ランプを収納する開口部が設けられた保護管と該保護管の上部で一体化され回路ケースを収納する開口部が設けられたＵＶ蓋とでなる保護管ユニットと、該保護管ユニットの前記保護管の開口部に収納される紫外線発光源である紫外線ランプと前記ＵＶ蓋に収納される回路ケースには前記紫外線ランプに高電圧を印加するインバータボードが装着されると共に、前記回路ケースの開口部を密閉する鍔とが設けられたランプユニットと、を一体化したＵＶユニットで構成して、該ＵＶユニットを前記ジャケットに着脱可能としたことを特徴とする浴槽湯の清浄化装置。
【請求項３】
浴槽内の湯を吸湯管より汲みあげ、装置本体内にて連結する濾過タンク、紫外線殺菌装置を循環して濾過、殺菌して清浄化処理し、ヒータにより保温処理し、前記浴槽内に噴出すると共に、前記紫外線殺菌装置は前記浴水が側面に設けられた湯流入口と湯流出口とを設けたジヤケツト内を湯が流通することでジャケット内の紫外線ランプで循環する浴水を殺菌するようにした浴槽湯の清浄化装置において、前記紫外線殺菌装置を、前記紫外線ランプを収納する開口部が設けられた保護管と該保護管の上部で一体化され回路ケースを収納する開口部が設けられたＵＶ蓋とでなる保護管ユニットと、該保護管ユニットの前記保護管の開口部に収納される紫外線発光源である紫外線ランプと前記ＵＶ蓋に収納される回路ケースには前記紫外線ランプに高電圧を印加するインバータボードが装着されると共に、前記回路ケースの開口部を密閉する鍔とが設けられたランプユニットと、を一体化したＵＶユニットで構成して、該ＵＶユニットを前記ジャケットに着脱可能に構成すると共に、前記保護管内と雰囲気が通じている雰囲気中の湿度を検知して保護管割れを検知するための結露センサを配備したことを特徴とする浴槽湯の清浄化装置。
【手続補正２】
【補正対象書類名】明細書
【補正対象項目名】００２３
【補正方法】変更
【補正の内容】
【００２３】
【課題を解決するための手段】
すなわち本発明は、浴槽内の湯を吸湯管より汲みあげ、装置本体内にて連結する濾過タンク、紫外線殺菌装置を循環して濾過、殺菌して清浄化処理し、ヒータにより保温処理し、前記浴槽内に噴出すると共に、前記紫外線殺菌装置は前記浴水が側面に設けられた湯流入口１７と湯流出口１８とを設けたジヤケツト内を湯が流通することでジャケット内の紫外線ランプで循環する浴水を殺菌するようにした浴槽湯の清浄化装置において、
前記紫外線殺菌装置を、前記紫外線ランプを収納する開口部が設けられた保護管１５と該保護管の上部で一体化され回路ケースを収納する開口部が設けられたＵＶ蓋とでなる保護管ユニットと、該保護管ユニットの前記保護管１５の開口部に収納される紫外線発光源である紫外線ランプと前記ＵＶ蓋に収納される回路ケースには前記紫外線ランプに高電圧を印加するインバータボードが装着されると共に、前記回路ケースの開口部を密閉する鍔３２とが設けられたランプユニットと、を一体化したＵＶユニット４１で構成して、該ＵＶユニット４１を前記ジャケットに着脱可能に構成すると共に、前記保護管内と雰囲気が通じている前記回路ケース２９に結露センサ２２を配備したことを特徴とする浴槽湯の清浄化装置とすることにより、課題を解決した。
【手続補正３】
【補正対象書類名】明細書
【補正対象項目名】００２４
【補正方法】変更
【補正の内容】
【００２４】
また、本発明は、浴槽内の湯を吸湯管より汲みあげ、装置本体内にて連結する濾過タンク、紫外線殺菌装置を循環して濾過、殺菌して清浄化処理し、ヒータにより保温処理し、前記浴槽内に噴出すると共に、前記紫外線殺菌装置は前記浴水が側面に設けられた湯流入口１７と湯流出口１８とを設けたジヤケツト内を湯が流通することでジャケット内の紫外線ランプで循環する浴水を殺菌するようにした浴槽湯の清浄化装置において、
前記紫外線殺菌装置を、前記紫外線ランプを収納する開口部が設けられた保護管１５と該保護管の上部で一体化され回路ケースを収納する開口部が設けられたＵＶ蓋とでなる保護管ユニットと、該保護管ユニットの前記保護管１５の開口部に収納される紫外線発光源である紫外線ランプと前記ＵＶ蓋に収納される回路ケースには前記紫外線ランプに高電圧を印加するインバータボードが装着されると共に、前記回路ケースの開口部を密閉する鍔３２とが設けられたランプユニットと、を一体化したＵＶユニット４１で構成して、該ＵＶユニット４１を前記ジャケットに着脱可能としたことを特徴とする浴槽湯の清浄化装置とすることにより、課題を解決した。
さらにまた、本発明は、浴槽内の湯を吸湯管より汲みあげ、装置本体内にて連結する濾過タンク、紫外線殺菌装置を循環して濾過、殺菌して清浄化処理し、ヒータにより保温処理し、前記浴槽内に噴出すると共に、前記紫外線殺菌装置は前記浴水が側面に設けられた湯流入口１７と湯流出口１８とを設けたジヤケツト内を湯が流通することでジャケット内の紫外線ランプで循環する浴水を殺菌するようにした浴槽湯の清浄化装置において、
前記紫外線殺菌装置を、前記紫外線ランプを収納する開口部が設けられた保護管１５と該保護管の上部で一体化され回路ケースを収納する開口部が設けられたＵＶ蓋とでなる保護管ユニットと、該保護管ユニットの前記保護管１５の開口部に収納される紫外線発光源である紫外線ランプと前記ＵＶ蓋に収納される回路ケースには前記紫外線ランプに高電圧を印加するインバータボードが装着されると共に、前記回路ケースの開口部を密閉する鍔３２とが設けられたランプユニットと、を一体化したＵＶユニット４１で構成して、該ＵＶユニット４１を前記ジャケットに着脱可能に構成すると共に、前記保護管内と雰囲気が通じている雰囲気中の湿度を検知して保護管割れを検知するための結露センサ２２を配備したことを特徴とする浴槽湯の清浄化装置とすることにより、課題を解決した。